(57)【要約】【課題】上水への洗剤の逆流を確実に防止できるだけでなく、効率よく洗浄運転を実行でき、貯留容器内で繁殖する雑菌による浴室内の汚染を防止できる浴槽洗浄装置を提供する。【解決手段】上流側の湯水供給管６６ｂと縁切りする吐水口空間を有する貯留容器４７を備えた浴槽洗浄装置において、前回の洗浄運転が終了してから所定時間が経過しても洗浄運転が行われなかった場合、下流側の開閉弁４９を開弁させて、貯留容器４７内の湯水を排水させる排水運転を実行する。【選択図】図１
2019058643.tif 000002
【特許請求の範囲】
【請求項１】
熱源機から送出される湯水を供給する湯水供給管と、
湯水供給管に設けられ、湯水供給管の流路を開閉する補水弁と、
湯水供給管と縁切りする吐水口空間を有し、湯水供給管から供給される湯水を貯留する貯留容器と、
洗剤を貯留する洗剤タンクと、
貯留容器から供給される湯水と洗剤タンクから供給される洗剤とを混合して洗浄水を生成する洗剤混合部と、
貯留容器から洗剤混合部に湯水を供給する湯水連絡管と、
洗剤タンクから洗剤混合部に洗剤を供給する洗剤導入管と、
浴槽内に洗浄水を噴射する洗浄ノズルと、
洗剤混合部から洗浄ノズルに洗浄水を供給する洗浄管と、
湯水連絡管に設けられ、洗浄ノズルからの洗浄水の噴射及び停止を行うポンプと、
湯水連絡管に設けられ、湯水連絡管の流路を開閉する開閉弁と、
洗浄ノズルから浴槽内に洗浄水を噴射させて浴槽を洗浄する洗浄運転を実行する洗浄制御部と、
洗浄運転終了後に、開閉弁を閉弁させて所定量の湯水を貯留容器内に貯留させる貯留運転を実行する貯留制御部と、
所定時間以上、洗浄運転が行われない場合、開閉弁を開弁させて貯留容器内の湯水を排水させる排水運転を実行する排水制御部と、を備える浴槽洗浄装置。
【請求項２】
請求項１に記載の浴槽洗浄装置において、
排水制御部は、所定時間以上、洗浄運転が行われない場合、次回の洗浄運転開始時に排水運転を実行する浴槽洗浄装置。
【請求項３】
請求項１に記載の浴槽洗浄装置において、
排水制御部は、所定時間以上、洗浄運転が行われない場合、所定時間が経過するごとに排水運転を実行する浴槽洗浄装置。
【請求項４】
請求項１に記載の浴槽洗浄装置は、さらに、
現在時刻を計時する計時部を備え、
排水制御部は、所定時間以上、洗浄運転が行われない場合、所定時間が経過し、且つ現在時刻が所定時刻になると、排水運転を実行する浴槽洗浄装置。
【請求項５】
請求項１〜４のいずれか１項に記載の浴槽洗浄装置において、
排水制御部は、排水運転終了後、開閉弁を閉弁させるとともに、熱源機から所定温度以上の湯水を貯留容器に供給させて、貯留容器内に湯水を貯留させる殺菌運転を実行する浴槽洗浄装置。
【請求項６】
請求項５に記載の浴槽洗浄装置において、
排水制御部は、殺菌運転終了後、再度、開閉弁を開弁させて貯留容器内の湯水を排水させる排水運転を実行する浴槽洗浄装置。
【発明の詳細な説明】
【技術分野】
【０００１】
本発明は、浴槽を自動で洗浄する浴槽洗浄装置に関する。
【背景技術】
【０００２】
従来、浴槽内へ洗浄水を噴射させて浴槽の内壁面に付着した汚れを洗い落とす浴槽洗浄装置が知られている。この種の浴槽洗浄装置では、例えば、洗剤と熱源機から供給される湯水とを洗剤混合部で混合させて洗浄水を生成し、洗浄ノズルから浴槽内に向けて洗浄水を噴射させている。それゆえ、熱源機と接続されている湯水供給管を介して洗浄水が上流側へ逆流した場合、上水が汚染される可能性がある。そのため、湯水供給管に逆止弁を設けることが提案されている（特許文献１）。
【０００３】
上記のような逆止弁を有する浴槽洗浄装置では、経年劣化等により弁故障が生じやすく、確実に逆流を防止できないという問題がある。そのため、逆流防止手段として、湯水供給管と洗剤混合部との間に、上流側の湯水供給管と縁切りする吐水口空間を有する貯留容器を設け、一旦、貯留容器に一定量の湯水を貯留して、貯留容器から洗剤混合部に湯水を供給することが考えられる。
【０００４】
一方、このような吐水口空間を有する貯留容器を設けた場合、湯水が貯留容器に貯留されていないと洗浄ノズルから安定して湯水を噴射させることができないため、貯留容器内に一定量の湯水が貯留されるまで洗浄運転の開始を待機する必要がある。そのため、浴槽の洗浄が終了した後、次回の洗浄運転のために予め貯留容器内に一定量の湯水を貯留させておくことが好ましい。
【０００５】
しかしながら、洗浄運転は使用者の意図に応じて実行されるため、長期間、洗浄運転が実行されないと、貯留容器内でレジオネラ菌などの雑菌が繁殖する虞がある。その結果、次回の洗浄運転において、洗浄ノズルから微粒子の湯水や洗浄水が噴射されると、雑菌が浴室内に噴射拡散されるという問題がある。
【先行技術文献】
【特許文献】
【０００６】
【特許文献１】特開２００３−６１８５０号公報
【発明の概要】
【発明が解決しようとする課題】
【０００７】
本発明は上記課題を解決するものであり、本発明の目的は、上水への洗剤の逆流を確実に防止するために吐水口空間を有する貯留容器を備えた浴槽洗浄装置で、効率よく洗浄運転を実行するとともに、貯留容器内で繁殖する雑菌による浴室内の汚染を防止することにある。
【課題を解決するための手段】
【０００８】
本発明によれば、
熱源機から送出される湯水を供給する湯水供給管と、
湯水供給管に設けられ、湯水供給管の流路を開閉する補水弁と、
湯水供給管と縁切りする吐水口空間を有し、湯水供給管から供給される湯水を貯留する貯留容器と、
洗剤を貯留する洗剤タンクと、
貯留容器から供給される湯水と洗剤タンクから供給される洗剤とを混合して洗浄水を生
成する洗剤混合部と、
貯留容器から洗剤混合部に湯水を供給する湯水連絡管と、
洗剤タンクから洗剤混合部に洗剤を供給する洗剤導入管と、
浴槽内に洗浄水を噴射する洗浄ノズルと、
洗剤混合部から洗浄ノズルに洗浄水を供給する洗浄管と、
湯水連絡管に設けられ、洗浄ノズルからの洗浄水の噴射及び停止を行うポンプと、
湯水連絡管に設けられ、湯水連絡管の流路を開閉する開閉弁と、
洗浄ノズルから浴槽内に洗浄水を噴射させて浴槽を洗浄する洗浄運転を実行する洗浄制御部と、
洗浄運転終了後に、開閉弁を閉弁させて、所定量の湯水を貯留容器内に貯留させる貯留運転を実行する貯留制御部と、
所定時間以上、洗浄運転が行われない場合、開閉弁を開弁させて、貯留容器内の湯水を排水させる排水運転を実行する排水制御部と、を備える浴槽洗浄装置が提供される。
【０００９】
上記浴槽洗浄装置によれば、湯水供給管と縁切りする吐水口空間を有する貯留容器が設けられているから、貯留容器内に洗剤が逆流した場合でも、貯留容器よりも上流側の湯水供給管への洗剤の混入を確実に防止することができる。また、貯留容器と洗剤混合部とを接続する湯水連絡管にはポンプが設けられているから、湯水供給管と縁切りする吐水口空間を有する貯留容器が設けられていても、湯水を貯留容器から洗浄ノズルに安定に供給することができる。そして、上記浴槽洗浄装置によれば、洗浄運転終了後、開閉弁を閉弁させて、所定量の湯水を貯留容器に貯留させておくから、次回の洗浄運転開始時に直ちに貯留容器内の湯水を利用することができる。
【００１０】
一方、既述したように、貯留容器内に湯水が貯留された状態で洗浄運転が長期間、行われないと、貯留容器内で雑菌が繁殖する虞がある。しかしながら、上記浴槽洗浄装置によれば、所定時間以上、洗浄運転が行われない場合、開閉弁を開弁させて貯留容器内の湯水を排水させるから、雑菌が含まれている虞のある湯水や洗浄水の噴射を防止することができる。
【００１１】
好ましくは、上記浴槽洗浄装置において、
排水制御部は、所定時間以上、洗浄運転が行われない場合、次回の洗浄運転開始時に排水運転を実行する。
【００１２】
次回の洗浄運転開始時に排水運転を実行することにより、雑菌が含まれている虞のある湯水や洗浄水の噴射を確実に防止することができる。
【００１３】
好ましくは、上記浴槽洗浄装置において、
排水制御部は、所定時間以上、洗浄運転が行われない場合、所定時間が経過するごとに排水運転を実行する。
【００１４】
所定時間が経過するごとに排水運転を実行することにより、雑菌が多量に繁殖する前に貯留容器内の湯水を排水させることができる。
【００１５】
好ましくは、上記浴槽洗浄装置は、さらに、
現在時刻を計時する計時部を備え、
排水制御部は、所定時間以上、洗浄運転が行われない場合、所定時間が経過し、且つ現在時刻が所定時刻になると、排水運転を実行する。
【００１６】
所定時間が経過し、且つ現在時刻が所定時刻になったときに排水運転を実行すれば、雑菌が繁殖する前であって、浴槽が使用されていない可能性が高い時間帯に排水運転を実行させることができる。
【００１７】
好ましくは、上記浴槽洗浄装置において、
排水制御部は、排水運転終了後、開閉弁を閉弁させるとともに、熱源機から所定温度以上の湯水を貯留容器に供給させて、貯留容器内に湯水を貯留させる殺菌運転を実行する。
【００１８】
上記浴槽洗浄装置によれば、排水運転終了後、開閉弁を閉弁させるとともに、熱源機から所定温度以上の湯水を貯留容器に供給させて、貯留容器内に湯水を貯留させるから、排水後に貯留容器の内壁面に付着している可能性がある雑菌を高温の湯水により殺菌することができる。これにより、より安全な湯水を使用して洗浄運転を行うことができる。
【００１９】
好ましくは、上記浴槽洗浄装置において、
排水制御部は、殺菌運転終了後、再度、開閉弁を開弁させて貯留容器内の湯水を排水させる排水運転を実行する。
【００２０】
上記浴槽洗浄装置によれば、所定温度以上の湯水を貯留容器に貯留させる殺菌運転終了後に、開閉弁を開弁させて貯留容器内の湯水を排水させるから、排水運転によって貯留容器よりも下流側の湯水連絡管や洗浄管の配管内壁に付着している可能性がある雑菌を高温の湯水により殺菌することができる。これにより、さらに安全な湯水を使用して洗浄運転を行うことができる。
【発明の効果】
【００２１】
以上のように、本発明によれば、洗剤が貯留容器に逆流してきても、湯水供給管と縁切りする吐水口空間を有する貯留容器によって上流側の湯水供給管への洗剤の混入が防止されているから、洗剤による上水の汚染を確実に防止することができる。
また、本発明によれば、貯留容器内に一定量の湯水が貯留されるまで洗浄運転の開始を待機する必要がないから、効率よく洗浄運転を実行することができる。
さらに、本発明によれば、長期間、洗浄運転が行われない場合、開閉弁を開弁させて貯留容器内の湯水を排水させるから、雑菌による浴室の汚染を防止することができる。
【図面の簡単な説明】
【００２２】
【図１】図１は、本発明の実施の形態１に係る浴槽洗浄装置の一例を示す概略構成図である。
【図２】図２は、本発明の実施の形態１に係る浴槽洗浄装置の制御動作の一例を示すフローチャートの一部である。
【図３】図３は、本発明の実施の形態１に係る浴槽洗浄装置の制御動作の一例を示すフローチャートの一部である。
【図４】図４は、本発明の実施の形態２に係る浴槽洗浄装置の制御動作の一例を示すフローチャートの一部である。
【図５】図５は、本発明の実施の形態２に係る浴槽洗浄装置の制御動作の一例を示すフローチャートの一部である。
【図６】図６は、本発明の実施の形態３に係る浴槽洗浄装置の制御動作の一例を示すフローチャートの一部である。
【図７】図７は、本発明の実施の形態３に係る浴槽洗浄装置の制御動作の一例を示すフローチャートの一部である。
【発明を実施するための形態】
【００２３】
（実施の形態１）
以下、図面を参照しながら、本発明の実施の形態に係る浴槽洗浄装置を説明する。
図１は、本実施の形態に係る浴槽洗浄装置の一例を示す概略構成図である。図１に示すように、浴室ＢＲ内には、浴室壁に沿って浴槽１が配設され、浴室ＢＲ外（例えば、屋外）には、熱源機である給湯器６が配設されている。図示しないが、浴槽１は、貯水部を構成する浴槽内周壁と、貯水部の開口縁から全周に亘って外方へ水平に張り出す上縁フランジ部と、浴槽１の外側面を構成するエプロンとを備え、上縁フランジ部の下方には浴槽内空間１０が形成されている。
【００２４】
浴槽１の底部には、浴槽１に貯留された湯水である浴槽水を排水するための排水栓２と、湯水や洗浄水を噴射する洗浄ノズル７とが設けられている。図示しないが、洗浄ノズル７は、洗浄管４３を介して供給される湯水や洗浄水を浴槽１の貯水部の内周面全域に亘って放射状に噴射する噴射口を備える。この噴射口は、湯水や洗浄水の流量に応じて、湯水や洗浄水の噴射位置が貯水部の内周面の上下域に変動するように構成されている。浴槽１の上縁フランジ部には、排水スイッチ５が設けられており、排水スイッチ５は、上縁フランジ部の下方に設けられた排水栓２を開閉する排水栓コントローラ５０と接続されている。従って、使用者が排水スイッチ５を操作したり、後述するリモコンＲの洗浄スイッチを操作したりすると、排水栓２が開栓され、浴槽１内の浴槽水が排水される。
【００２５】
図示しないが、給湯器６は、ガスバーナと、給湯熱交換器とを備える。ガスバーナには、ガス供給管７８が接続されている。給湯熱交換器には、給水源から上水を供給するための給水管６３と、カランやシャワーなどの給湯栓６５や後述する本体ユニット４に給湯器６から加熱された湯水を供給する給湯管６６とが接続されている。給湯器６内には、給湯器６の運転を制御する給湯器コントローラ６０が組み込まれており、給水管６３に設けられた給水センサや給湯管６６に設けられた給湯温度センサなどの各種センサ、給水管６３、給湯管６６、及びガス供給管７８に設けられた各種制御弁、点火装置、電源ボックスや、給湯器用のリモコンは、給湯器コントローラ６０と接続されている。なお、本実施の形態では、給湯器６は給湯熱交換器のみを有するが、浴槽１に循環金具を設けるとともに、給湯器６に給湯熱交換器及び風呂熱交換器を設け、追焚き機能を有する給湯器を用いてもよい。また、電気式給湯器やヒートポンプ式給湯器を用いてもよい。
【００２６】
給水管６３及び給湯管６６はそれぞれ、給湯栓６５側と浴室ＢＲの天井裏に配設された本体ユニット４側とに分岐している。給水管６３及び給湯管６６からそれぞれ本体ユニット４側に分岐する湯水タンク４７よりも上流側の第１温調用給水管６３ａ及び第１湯水供給管６６ａには、逆止弁７１，７２と、湯水混合部８０とが接続されている。より詳細には、湯水混合部８０は、第１温調用給水管６３ａに上流側から順に介設された、給水温センサ８１、水量センサ８３、及び水量調整弁８５と、第１湯水供給管６６ａに上流側から順に介設された、湯温センサ８２、湯量センサ８４、及び湯量調整弁８６とを備える。また、逆止弁７１，７２近傍の第１温調用給水管６３ａ及び第１湯水供給管６６ａの配管周囲にはそれぞれ、凍結防止用ヒータ７３，７４が配設されている。第１温調用給水管６３ａ及び第１湯水供給管６６ａは、水量調整弁８５及び湯量調整弁８６の下流側で合流して、１つの第２湯水供給管６６ｂを構成している。第２湯水供給管６６ｂには、温度センサ７５が介設されている。
【００２７】
第２湯水供給管６６ｂは、補水用電磁弁（補水弁）４６を介して、貯留容器である湯水タンク４７に接続されている。また、湯水混合部８０と湯水タンク４７とを接続する第２湯水供給管６６ｂからは、湯張り用湯水供給管６６ｄが分岐しており、湯張り用湯水供給管６６ｄは、湯張り用電磁弁９０を介して、浴槽１の上方に位置する框水栓７９と接続されている。第２湯水供給管６６ｂの分岐部と湯張り用電磁弁９０との間の湯張り用湯水供給管６６ｄの配管周囲には、凍結防止用ヒータ７６が配設されている。
【００２８】
図示しないが、湯水タンク４７の上部には、第２湯水供給管６６ｂから供給される湯水が吐出する補水口と、補水口よりも下方に位置するオーバーフロー口とが設けられている。また、湯水タンク４７の底部には、流出口が設けられており、流出口には、ポンプ４８に湯水を供給するための湯水連絡管６６ｃが接続されている。さらに、オーバーフロー口には、浴槽パン内に延設されたオーバーフロー管６８が接続されている。従って、補水口とオーバーフロー口との間には吐水口空間が形成されており、第２湯水供給管６６ｂは湯水タンク４７によって湯水タンク４７よりも下流側の流路と縁切りされている。このため、湯水タンク４７は、逆流防止手段として機能する。
【００２９】
湯水タンク４７内には、貯留されている湯水の量を検出するための長さの異なる高水位電極４７１、低水位電極４７２及びアース電極４７３が挿入されている。高水位電極４７１は、湯水タンク４７内に湯水が貯留された際、下端がオーバーフロー口よりも下方に位置するように配設されている。高水位電極４７１及び低水位電極４７２はそれぞれ、水位が所定の高低水位に達するとオンとなり、所定の高低水位に満たないとオフとなる。
【００３０】
湯水タンク４７と洗剤混合部５１とを接続する湯水連絡管６６ｃには、上流側から順に、ポンプ４８と、開閉電磁弁（開閉弁）４９とが介設されている。ポンプ４８を駆動及び停止させるとともに、開閉電磁弁４９を開弁及び閉弁させることにより、湯水タンク４７から洗浄水生成ユニット３へ湯水が供給及び停止され、それによって洗浄ノズル７から湯水や洗浄水の噴射及び停止が行われる。また、ポンプ４８の回転数を制御することにより、洗浄ノズル７から噴射される湯水や洗浄水の流量が調整される。なお、開閉電磁弁４９は、湯水連絡管６６ｃに介設されていれば、ポンプ４８の上流側に介設してもよい。
【００３１】
図示しないが、本体ユニット４は、上記した湯水混合部８０、湯水タンク４７、ポンプ４８等の各構成部品が収容されたケーシングを備え、ケーシング内の湯水混合部８０の近傍には、ケーシング内の温度を検出する低温感知用温度センサ７７が配設されている。また、既述した給水温センサ８１、湯温センサ８２、水量センサ８３、湯量センサ８４、水量調整弁８５、湯量調整弁８６、凍結防止用ヒータ７３，７４，７６、温度センサ７５、低温感知用温度センサ７７、補水用電磁弁４６、ポンプ４８、開閉電磁弁４９、湯張り用電磁弁９０、湯水タンク４７内の電極４７１，４７２，４７３は、ケーシング内に設けられた本体ユニットコントローラ４０と電気配線を介して接続されている。さらに、本体ユニットコントローラ４０は、後述する洗浄ユニットコントローラ３０、リモコンＲや、図示しない電源ボックスと電気配線を介して接続されている。
【００３２】
浴槽１の上縁フランジ部の下方に位置する浴槽内空間１０には、洗浄水生成ユニット３を構成する、洗剤を貯留する洗剤タンク４１と、ベンチュリ式の洗剤混合部５１と、洗剤タンク４１からの洗剤を洗剤混合部５１に導く洗剤導入管４４とが配設されており、洗剤導入管４４には、洗剤混合部５１への洗剤の供給を調整する第１及び第２洗剤弁４２ａ，４２ｂが介設されている。洗剤混合部５１と洗浄ノズル７とは、洗浄管４３を介して接続されている。なお、浴槽内空間１０の大きさ等に応じて、洗剤タンク４１、第１及び第２洗剤弁４２ａ，４２ｂ、並びに洗剤混合部５１を浴槽内空間１０内でそれぞれ離間させて配設してもよい。
【００３３】
天井裏の本体ユニット４と、浴室ＢＲ内の洗浄水生成ユニット３とは、浴槽１の一側方の浴室壁を貫通する湯水連絡管６６ｃによって接続されている。より詳細には、湯水連絡管６６ｃは、本体ユニット４の開閉電磁弁４９と、洗浄水生成ユニット３の洗剤混合部５１とに接続されている。従って、第１及び第２洗剤弁４２ａ，４２ｂが開弁された状態で、ポンプ４８を駆動させるとともに、開閉電磁弁４９を開弁させて、湯水タンク４７に貯留された湯水を湯水連絡管６６ｃを介して洗剤混合部５１に供給すると、湯水が洗剤混合部５１を通過する際に生じる負圧によって、洗剤と湯水とが混合されて洗浄水が生成され、洗浄管４３を通って、洗浄ノズル７から洗浄水が噴射され、浴槽１の洗浄が行われる。また、第１及び第２洗剤弁４２ａ，４２ｂが閉弁された状態で、同様にポンプ４８を駆動させるとともに、開閉電磁弁４９を開弁させて、湯水タンク４７に貯留された湯水を湯水連絡管６６ｃから洗剤混合部５１に供給すると、洗浄ノズル７から湯水のみが噴射され、浴槽１の予備洗浄やすすぎが行われる。
【００３４】
図示しないが、洗浄水生成ユニット３は、上記した洗剤混合部５１や第１及び第２洗剤弁４２ａ，４２ｂが収容されたケーシングを備える。また、洗浄水生成ユニット３には、洗浄ユニットコントローラ３０が組み込まれており、既述した第１及び第２洗剤弁４２ａ，４２ｂや図示しない洗剤タンク４１の電極は、洗浄ユニットコントローラ３０と電気配線を介して接続されている。さらに、洗浄ユニットコントローラ３０は、電気配線を介して排水栓コントローラ５０及び本体ユニットコントローラ４０と接続されている。なお、洗剤混合部５１は、負圧によって洗剤と湯水とを混合するものだけでなく、洗剤と湯水とを撹拌混合させる撹拌容器を用いてもよい。
【００３５】
浴室ＢＲ内には、湯張り運転及び洗浄運転用のリモコンＲが配設されている。リモコンＲには、運転スイッチ１０１、湯張り運転を行う湯張りスイッチ１０２、洗浄運転を行う洗浄スイッチ１０３、洗浄運転終了後に、湯張り運転を行う洗浄・湯張りスイッチ１０４、湯張り温度を設定する湯張り温度設定スイッチ１０５、さし湯やさし水運転を開始及び停止させるさし湯及びさし水スイッチ１０６、洗浄コースを選択する洗浄コース設定スイッチ１０７、タイマスイッチ１０８、及び運転状態や設定温度が表示される表示部１１０などが設けられている。また、図示しないが、リモコンＲは、本体ユニットコントローラ４０と電気配線を介して接続されており、洗浄ユニットコントローラ３０や排水栓コントローラ５０と本体ユニットコントローラ４０を介して接続されている。各コントローラは、ＣＰＵ、ＲＯＭ、ＲＡＭを備えるマイクロコンピュータから構成されている。
【００３６】
図示しないが、給湯器コントローラ６０は、給湯器６の給湯運転を制御する給湯制御部を備える。また、本体ユニットコントローラ４０は、洗浄運転を制御する洗浄制御部、貯留運転を制御する貯留制御部、並びに排水運転及び殺菌運転を制御する排水制御部を備える。さらに、本体ユニットコントローラ４０のメモリには、所定の洗浄運転、貯留運転、排水運転、及び殺菌運転の各運転を実行するプログラム及び各種設定値が格納されている。
【００３７】
次に、図２及び図３を参照して、本実施の形態の浴槽洗浄装置における各種運転について説明する。後述するように、本実施の形態の浴槽洗浄装置では、洗浄運転終了後、洗浄運転が行われることなく所定時間が経過すると、次回の洗浄運転開始時に排水運転等が実行される。なお、給湯器６は、給水管６３に設けられた給水センサ（図示せず）で検出される水量が所定水量以上になるとガスバーナを点火させ、給水センサで検出される水量が所定水量未満になるとガスバーナを消火させる点消火制御を行うように構成されている。
【００３８】
例えば、浴槽１の使用後、給湯器用のリモコンの運転スイッチのオン操作及びリモコンＲの運転スイッチ１０１のオン操作がなされている状態で、使用者が洗浄スイッチ１０３をオン操作すると、本体ユニットコントローラ４０は、排水栓２を開栓させるとともに、排水時間ａ（例えば、５分間）を計時するためにタイマｔａをスタートさせる（ステップＳＴ１〜ＳＴ２）。
【００３９】
次いで、前回の洗浄運転終了後の貯留運転で補水用電磁弁４６を閉弁させてから排水時間ａが経過するまでに、洗浄運転が行われることなく、後述するタイマｔｅが所定時間ｅ（例えば、１００時間）を経過しているかどうかが判定される（ステップＳＴ３〜ＳＴ４）。なお、図示しないが、洗浄運転の実行は、例えば、洗浄スイッチ１０３のオン操作が行われたかどうかにより判定することができる。
【００４０】
洗浄運転開始時に所定時間ｅが経過している場合、洗浄運転を開始させる前に湯水タンク４７内に貯留されている湯水を排水させる排水運転を実行する。具体的には、開閉電磁弁４９を開弁させるとともに、ポンプ４８を所定の低回転数（例えば、最低回転数）で駆動させる（ステップＳＴ５）。これにより、長期間、湯水タンク４７内に貯留されて雑菌が繁殖している可能性がある湯水が湯水タンク４７外に排水される。また、ポンプ４８を低回転数で駆動させて低流量で湯水を排水させることにより、洗浄ノズル７からの湯水の噴射を抑えることができる。なお、ポンプ４８を駆動させることなく、開閉電磁弁４９を開弁させるのみで湯水を排水させてもよい。
【００４１】
湯水タンク４７内の湯水の水位が低下し、低水位電極４７２がオフになると、低水位電極以下の湯水を湯水タンク４７から排水するための待機時間ｆ（例えば、３０秒間）を計時するためにタイマｔｆをスタートさせる（ステップＳＴ６〜ＳＴ７）。これにより、確実に、湯水タンク４７内に貯留されていた湯水を排水させることができる。なお、貯留運転によって湯水タンク４７内に貯留される湯水の量が固定されている場合、低水位電極４７２がオフになってからの待機時間ｆを計時することなく、排水開始からの経過時間を待機時間として計時してもよい。
【００４２】
所定の待機時間ｆが経過すると、ポンプ４８を停止させて、排水運転を終了し、続けて殺菌運転に移行する（ステップＳＴ８〜ＳＴ９）。この殺菌運転では、開閉電磁弁４９を閉弁させるとともに、補水用電磁弁４６を開弁させる。すると、水道水圧力によって給水管６３から給湯器６に上水が供給され、図示しない給水センサで所定水量以上の水量が検出されると、給湯器６で給湯運転が開始される。また、所定温度以上（例えば、６０℃以上）の湯水が湯水タンク４７に供給されるように、水量調整弁８５及び湯量調整弁８６の開度が調整される（ステップＳＴ１０〜ＳＴ１２）。このように、殺菌運転で湯水タンク４７に供給される湯水の温度を比較的高く設定することにより、短時間で湯水タンク４７の内壁面に付着した雑菌を殺菌することができる。
【００４３】
湯水タンク４７に所定温度以上の湯水が供給され、高水位電極４７１がオンになると、補水用電磁弁４６を閉弁させて、湯水タンク４７への湯水の供給を停止させ、殺菌時間ｇ（例えば、１０分間）を計時するためにタイマｔｇをスタートさせる（ステップＳＴ１３〜ＳＴ１５）。これにより、湯水タンク４７の内壁面に付着していた雑菌を殺菌することができる。なお、補水用電磁弁４６を閉弁させることにより給湯運転が終了するが、過剰な湯水はオーバーフロー口から排水されるため、補水用電磁弁４６を閉弁させることなく給湯運転を継続させてもよい。
【００４４】
所定の殺菌時間ｇが経過すると、殺菌運転を終了し、開閉電磁弁４９を開弁させるとともに、ポンプ４８を低回転数で駆動させて、再度、排水運転に移行する（ステップＳＴ１６〜ＳＴ２１）。これにより、所定温度の湯水を湯水連絡管６６ｃや洗浄管４３に流通させることができるため、先の排水運転によってこれらの配管の内壁に付着した雑菌も殺菌することができる。
【００４５】
再度の排水運転終了後、開閉電磁弁４９を閉弁させ、さらに補水用電磁弁４６を開弁させて、貯留運転に移行し、高水位電極４７１がオンになるまで湯水タンク４７に所定温度の湯水が供給される（ステップＳＴ２２〜ＳＴ２４）。なお、このとき洗浄運転用の所定温度（例えば、４０℃）の湯水が湯水タンク４７に供給されるように、水量調整弁８５及び湯量調整弁８６の開度が調整される。
【００４６】
高水位電極４７１がオンになると、貯留運転を終了し、補水用電磁弁４６を閉弁させることなく、続けて洗浄運転に移行する。この洗浄運転では、予備洗浄工程、洗浄工程、すすぎ工程が実行される。まず、高水位電極４７１がオンになると予備洗浄時間ｂ（例えば、９０秒間）を計時するためにタイマｔｂをスタートさせる（ステップＳＴ２５〜ＳＴ２６）。次いで、開閉電磁弁４９を開弁させ、所定の予備洗浄用の流量が得られる回転数でポンプ４８を駆動させて、浴室ＢＲの天井裏に設置された本体ユニット４から浴室ＢＲ内の洗浄水生成ユニット３に湯水を供給する（ステップＳＴ２７）。これにより、洗浄ノズル７から浴槽１内に湯水のみを噴射させる予備洗浄工程が実行される。
【００４７】
所定の予備洗浄時間ｂが経過すると、ポンプ４８を停止させるとともに、開閉電磁弁４９を閉弁させ、予備洗浄工程を終了させる（ステップＳＴ２８〜ＳＴ２９）。また、所定の洗浄時間ｃ（例えば、２秒間）を計時するためにタイマｔｃをスタートさせる。そして、開閉電磁弁４９並びに第１及び第２洗剤弁４２ａ，４２ｂを開弁させるとともに、所定の洗浄用の流量が得られる回転数でポンプ４８を駆動させる（ステップＳＴ３０〜ＳＴ３１）。これにより、洗剤混合部５１に洗剤及び湯水が供給されて洗浄水が生成され、洗浄ノズル７から浴槽１内に洗浄水を噴射させる洗浄工程が実行される。
【００４８】
所定の洗浄時間ｃが経過すると、ポンプ４８を停止させるとともに、開閉電磁弁４９並びに第１及び第２洗剤弁４２ａ，４２ｂを閉弁させて、洗浄工程を終了させる（ステップＳＴ３３）。また、所定のすすぎ時間ｄ（例えば、９０秒間）を計時するためにタイマｔｄをスタートさせる。そして、開閉電磁弁４９を開弁させるとともに、所定のすすぎ用の流量が得られる回転数でポンプ４８を駆動させる（ステップＳＴ３４〜ＳＴ３５）。これにより、予備洗浄と同様にして、すすぎ工程が実行される。なお、洗浄及びすすぎ工程をそれぞれ、複数回実行させてもよいし、予備洗浄を行うことなく、洗浄及びすすぎ工程のみを実行させてもよい。
【００４９】
所定のすすぎ時間ｄが経過すると、ポンプ４８を停止させ、排水栓２を閉栓させて、すすぎ工程を終了させ、洗浄運転を終了し、続けて貯留運転に移行する（ステップＳＴ３６〜ＳＴ３８）。この貯留運転では、開閉電磁弁４９を閉弁させ、高水位電極４７１がオンになるまで湯水タンク４７に湯水が供給される（ステップＳＴ３９〜ＳＴ４０）。これにより、湯水タンク４７内に貯留されている湯水を利用して次回の洗浄運転を開始させることができる。また、ポンプ４８内部が湯水で満たされているため、ポンプ４８内部の乾燥によるスケールの析出を防止できる。そして、高水位電極４７１がオンになると、補水用電磁弁４６を閉弁させて貯留運転を終了させるとともに、次回の洗浄運転が実行されるまでに洗浄運転が行われることなく所定時間ｅが経過するかどうかを判定するためにタイマｔｅをスタートさせる（ステップＳＴ４１〜ＳＴ４２）。
【００５０】
なお、洗浄運転開始時に所定時間ｅが経過していない場合、所定の排水時間ａが経過すると、補水用電磁弁４６を開弁させるとともに、洗浄運転用の所定温度の湯水が湯水タンク４７に供給されるように、水量調整弁８５及び湯量調整弁８６の開度が調整され、高水位電極４７１がオンになると、既述した洗浄運転及び貯留運転が実行される（ステップＳＴ４３〜ＳＴ４４及びステップＳＴ２５〜４２）。これにより、円滑に洗浄運転を実行することができる。
【００５１】
以上詳細に説明したように、上記浴槽洗浄装置によれば、湯水タンク４７は吐水口空間を有しているため、湯水タンク４７よりも上流側の第２湯水供給管６６ｂは、湯水タンク４７よりも下流側の流路と縁切りされる。従って、洗剤混合部５１よりも上流側に洗剤が逆流して湯水タンク４７内に洗剤が混入しても、第２湯水供給管６６ｂに洗剤が逆流することはない。また、湯水タンク４７内に雑菌が繁殖した場合でも、雑菌を含む湯水が第２湯水供給管６６ｂに逆流することもない。これにより、洗剤や雑菌による上水の汚染を確実に防止することができる。
【００５２】
また、上記浴槽洗浄装置では、湯水タンク４７よりも上流側の第２湯水供給管６６ｂは、湯水タンク４７よりも下流側の流路と縁切りされているため上水圧を利用することはできないが、湯水タンク４７と洗浄ノズル７との間にはポンプ４８が設けられているから、所定の噴射流量で湯水や洗浄水を洗浄ノズル７から安定して噴射させることができる。
【００５３】
また、上記浴槽洗浄装置によれば、洗浄運転終了後に湯水タンク４７内に所定量の湯水を貯留させるから、湯水タンク４７内に貯留されている湯水を利用して次回の洗浄運転を開始させることができる。これにより、効率的に洗浄運転を行うことができる。さらに、洗浄運転終了時にポンプ４８内部が湯水で満たされているため、ポンプ４８内部の乾燥に起因する不具合を防止できる。
【００５４】
一方、湯水タンク４７内に湯水が貯留された状態で、長期間、洗浄運転が行われないと、湯水タンク４７内で雑菌が繁殖しやすい。しかしながら、上記浴槽洗浄装置によれば、前回の洗浄運転終了後、洗浄運転が行われることなく所定時間が経過している場合、洗浄運転が開始される前に開閉電磁弁４９を開弁させて湯水タンク４７内に貯留されている湯水を排水させるから、雑菌を含む虞のある湯水や洗浄水の噴射を確実に防止することができる。
【００５５】
また、上記浴槽洗浄装置によれば、排水運転終了後に、所定温度以上の湯水を湯水タンク４７に貯留させる殺菌運転を実行するから、湯水タンク４７の内壁面に付着していた雑菌も殺菌することができる。
【００５６】
また、上記浴槽洗浄装置によれば、殺菌運転終了後に再度、排水運転を行うから、先の排水運転によって湯水タンク４７よりも下流側の湯水連絡管６６ｃや洗浄管４３の配管内壁に付着している可能性がある雑菌を高温の湯水により殺菌することができる。
【００５７】
また、洗浄運転は、洗浄運転の直前に殺菌運転及び再度の排水運転が実行された後、開始されるから、より雑菌の少ない湯水を噴射させることができる。
【００５８】
従って、上記浴槽洗浄装置によれば、安全な湯水を使用して洗浄運転を行うことができ、雑菌による浴室の汚染を確実に防止することができる。
【００５９】
（実施の形態２）
本実施の形態に係る浴槽洗浄装置では、前回の洗浄運転が終了してから洗浄運転が行われることなく所定時間が経過すると、所定時間が経過するごとに排水運転等が実行される以外は、実施の形態１と同様である。従って、浴槽洗浄装置の構成は実施の形態１と同様であるため説明を省略し、実施の形態１の浴槽洗浄装置の各種運転における制御動作と異なる部分を説明する。
【００６０】
図４及び図５は、本実施の形態の浴槽洗浄装置における各種運転の制御動作を示すフローチャートである。
例えば、使用者がリモコンＲの洗浄スイッチ１０３をオン操作すると、本体ユニットコントローラ４０は、排水栓２を開栓させるとともに、排水時間ａ（例えば、５分間）を計時するためにタイマｔａをスタートさせる（ステップＳＴ５１〜ＳＴ５２）。
【００６１】
所定の排水時間ａが経過すると、補水用電磁弁４６を開弁させるとともに、洗浄運転用の所定温度の湯水が湯水タンク４７に供給されるように、水量調整弁８５及び湯量調整弁８６の開度が調整され、高水位電極４７１がオンになると、実施の形態１と同様に、洗浄運転を実行する(ステップＳＴ５３〜ＳＴ６９)。なお、本実施の形態では、所定時間ｅが経過するごとに排水運転等が実行されているため、洗浄運転は所定時間ｅが経過する前であって、湯水タンク４７には略所定量の湯水が貯留された状態から開始される。
【００６２】
洗浄運転が終了すると、実施の形態１と同様に、貯留運転が実行され、補水用電磁弁４６が閉弁されると貯留運転を終了させるとともに、所定時間ｅを計時するために、タイマｔｅをスタートさせる（ステップＳＴ７０〜ＳＴ７３）。
【００６３】
上記のようにして洗浄運転及び貯留運転が終了した後、洗浄運転が行われることなく所定時間ｅが経過すると、排水栓２を開栓させるとともに、実施の形態１と同様に、開閉電磁弁４９を開弁させ、ポンプ４８を洗浄運転で駆動される回転数よりも低い所定の低回転数で駆動させて、湯水タンク４７内の湯水を排水させ、排水運転を実行する（ステップＳＴ７４〜ＳＴ８０）。これにより、長期間、湯水タンク４７内に貯留されて雑菌が繁殖している可能性がある湯水が湯水タンク４７外に排水される。また、ポンプ４８を低回転数で駆動させて低流量で湯水を排水させることにより、洗浄ノズル７からの湯水の噴射を抑えることができる。さらに、洗浄ノズル７から湯水が排水されるが、低流量であるため、洗浄運転を意図していない使用者の違和感も低減することができる。なお、湯水タンク４７が浴槽１よりも上方に設置されている場合、開閉電磁弁４９を開弁させれば、ポンプ４８を駆動させることなく、湯水タンク４７内の湯水を排水させることもできる。この場合、ポンプ４８の駆動による騒音も発生しないため、さらに使用者の違和感を低減することができる。
【００６４】
排水運転が終了すると、開閉電磁弁４９を閉弁させ、実施の形態１と同様に、殺菌運転に移行し、補水用電磁弁４６を開弁させる（ステップＳＴ８１〜ＳＴ８２）。次いで、湯水タンク４７の高水位電極４７１がオンするまで所定温度以上の湯水を供給し、殺菌運転が終了すると、実施の形態１と同様に、殺菌運転で貯留された湯水を再度、排水させる排水運転、及び高水位電極４７１がオンになるまで湯水タンク４７に湯水を再度、供給した後、補水用電磁弁４９を閉弁させる貯留運転が実行される（ステップＳＴ８３〜ＳＴ９７）。貯留運転が終了すると、次回の洗浄運転が実行されるまで、所定時間ｅが経過するごとに、上記した排水運転、殺菌運転、及び貯留運転が繰り返される。
【００６５】
以上詳細に説明したように、上記浴槽洗浄装置によれば、所定時間が経過しても洗浄運転が実行されない場合、所定時間が経過するごとに開閉電磁弁４９を開弁させて湯水タンク４７内に貯留されている湯水を排水させるから、湯水タンク４７内で雑菌が多量に繁殖する前に湯水を排水させることができ、雑菌を含む虞のある湯水や洗浄水の噴射を確実に防止することができる。
【００６６】
また、排水運転終了後、殺菌運転及び再度の排水運転が実行されるから、湯水タンク４７の内壁面に付着していた雑菌だけでなく、湯水連絡管６６ｃや洗浄管４３の配管内壁に付着した雑菌も殺菌することができる。
【００６７】
従って、上記浴槽洗浄装置によれば、安全な湯水を使用して洗浄運転を行うことができ、雑菌による浴室の汚染を確実に防止することができる。
【００６８】
また、上記浴槽洗浄装置は、実施の形態１と同様の構成を有するから、洗剤や雑菌による上水の汚染を確実に防止することができる。また、湯水タンク４７に貯留された湯水を利用して洗浄運転を開始させることができるから、効率的に洗浄運転を行うことができる。
【００６９】
（実施の形態３）
本実施の形態に係る浴槽洗浄装置では、前回の洗浄運転が終了してから洗浄運転が行われることなく所定時間が経過し、さらに現在時刻が所定時刻になったときに、排水運転等が実行される以外は、実施の形態１と同様である。従って、浴槽洗浄装置の構成は、本体コントロールユニット４０が現在時刻を計時する計時部を備える以外は、実施の形態１と同様であるため説明を省略し、実施の形態１の浴槽洗浄装置の各種運転における制御動作と異なる部分を説明する。
【００７０】
図６及び図７は、本実施の形態の浴槽洗浄装置における各種運転の制御動作を示すフローチャートである。
例えば、使用者がリモコンＲの洗浄スイッチ１０３をオン操作すると、本体ユニットコントローラ４０は、排水栓２を開栓させるとともに、排水時間ａ（例えば、５分間）を計時するためにタイマｔａをスタートさせる（ステップＳＴ１０１〜ＳＴ１０２）。
【００７１】
所定の排水時間ａが経過すると、補水用電磁弁４６を開弁させるとともに、洗浄運転用の所定温度の湯水が湯水タンク４７に供給されるように、水量調整弁８５及び湯量調整弁８６の開度が調整され、高水位電極４７１がオンになると、実施の形態１と同様に、洗浄運転を実行する(ステップＳＴ１０３〜ＳＴ１１９)。なお、本実施の形態では、所定時間ｅが経過し、且つ現在時刻が所定時刻になると排水運転等が実行されるため、洗浄運転は、所定時間ｅが経過する前、または所定時間ｅの経過後、所定時刻の到来前であって、湯水タンク４７には略所定量の湯水が貯留された状態から開始される。
【００７２】
洗浄運転が終了すると、実施の形態１と同様に、貯留運転が実行され、補水用電磁弁４６が閉弁されると貯留運転を終了させるとともに、所定時間ｅを計時するために、タイマｔｅをスタートさせる（ステップＳＴ１２０〜１２３）。
【００７３】
上記のようにして洗浄運転及び貯留運転が終了した後、洗浄運転が行われることなく所定時間ｅが経過し、さらに現在時刻が所定時刻（例えば、午前３時）になると、排水栓２を開栓させるとともに、実施の形態１と同様に、開閉電磁弁４９を開弁させ、ポンプ４８を洗浄運転で駆動される回転数よりも低い所定の低回転数で駆動させて、湯水タンク４７内の湯水を排水させ、排水運転を実行する（ステップＳＴ１２４〜ＳＴ１３１）。これにより、長期間、湯水タンク４７内に貯留されて雑菌が繁殖している可能性がある湯水が湯水タンク４７外に排水される。また、ポンプ４８を低回転数で駆動させて低流量で湯水を排水させることにより、洗浄ノズル７からの湯水の噴射を抑えることができる。さらに、洗浄ノズル７から湯水が排水されるが、低流量であるため、洗浄運転を意図していない使用者の違和感も低減することができる。また、所定時間が経過し、且つ現在時刻が所定時刻になると、排水運転が実行されるから、浴槽１が使用されていない可能性が高い時間帯に排水運転を実行させることができる。なお、排水運転が終了すると、実施の形態１と同様に、殺菌運転、排水運転、及び貯留運転が実行され、補水用電磁弁４６を閉弁させる（ステップＳＴ１３２〜ＳＴ１４８）。
【００７４】
以上詳細に説明したように、上記浴槽洗浄装置によれば、所定時間が経過しても洗浄運転が実行されない場合、所定時間が経過し、且つ現在時刻が所定時刻になると、開閉電磁弁４９を開弁させて湯水タンク４７内に貯留されている湯水を排水させるから、湯水タンク４７内で雑菌が多量に繁殖する前に湯水を排水させることができ、雑菌を含む虞のある湯水や洗浄水の噴射を確実に防止することができる。また、上記浴槽洗浄装置によれば、使用者が浴槽１を使用している可能性の低い時間帯に排水運転等を実行させることができる。なお、所定時刻は、使用者が任意の時刻を設定してもよいし、予め浴槽１の使用の可能性が低いと想定される時刻を設定してもよい。
【００７５】
また、排水運転終了後、殺菌運転及び再度の排水運転が実行されるから、湯水タンク４７の内壁面に付着していた雑菌だけでなく、湯水連絡管６６ｃや洗浄管４３の配管内壁に付着した雑菌も殺菌することができる。
【００７６】
従って、上記浴槽洗浄装置によれば、安全な湯水を使用して洗浄運転を行うことができ、雑菌による浴室の汚染を確実に防止することができる。
【００７７】
また、上記浴槽洗浄装置は、実施の形態１と同様の構成を有するから、洗剤や雑菌による上水の汚染を確実に防止することができる。また、湯水タンク４７に貯留された湯水を利用して洗浄運転を開始させることができるから、効率的に洗浄運転を行うことができる。
【００７８】
（その他の実施の形態）
（１）上記実施の形態ではいずれも、浴室の天井裏に本体ユニット４が配設されているが、本体ユニット４を浴室内に配設してもよい。
（２）上記実施の形態ではいずれも、殺菌運転において、高水位電極４７１がオンになると湯水タンク４７への湯水の供給を停止しているが、過剰の湯水はオーバーフロー口から排出されるため、高水位電極４７１よりも高水位まで湯水を供給してもよい。
（３）上記実施の形態ではいずれも、殺菌運転において、開閉電磁弁４９を閉弁させているが、開閉電磁弁４９を開弁させたまま、ポンプ４８を駆動させた状態で所定温度の湯水を湯水タンク４７に供給してもよい。
（４）上記実施の形態では、浴槽洗浄装置と給湯器とは独立して運転させているが、本体ユニットコントローラ４０と給湯器コントローラ６０とを接続し、本体ユニットコントローラ４０から給湯器６から送出される湯水の温度を変更させるようにしてもよい。これにより、殺菌工程において確実に所定温度以上の湯水を湯水タンク４７に貯留させることができる。また、湯水混合部のない浴槽洗浄装置でも、各種運転に適した温度の湯水を湯水タンク４７に供給することができる。
（５）上記実施の形態では、排水運転を実行させるとき、湯水タンク４７に湯水を供給することなく、ポンプ４８を駆動させて湯水タンク４７内の湯水を排水させているが、低水位電極４７２がオフになった後、補水用電磁弁４６を開弁させ、ポンプ４８を駆動させてもよい。これによれば、湯水タンク４７の湯水が低水位電極４７２以下になった後、ポンプ４７を駆動させるから、湯水タンク４７から湯水が確実に排水されている状態で、ポンプ４８による排水を行わせることができる。また、湯水タンク４７の湯水が低水位電極４７２以下になった後、湯水タンク４７に湯水が供給されながら排水が行われるから、配管の一部に立ち上がり部が形成される所謂、鳥居配管によって湯水連絡管６６ｃ内に湯水が残留する虞のある場合でも、確実に湯水を排水させることができる。
【符号の説明】
【００７９】
１              浴槽
２              排水栓
３              洗浄水生成ユニット
４              本体ユニット
７              洗浄ノズル
４１            洗剤タンク
４３            洗浄管
４６            補水用電磁弁（補水弁）
４７            湯水タンク（貯留容器）
４８            ポンプ
４９            開閉電磁弁（開閉弁）
５１            洗剤混合部
６６ｂ          第２湯水供給管
６６ｃ          湯水連絡管
【図１】
2019058643.tif 000003
【図２】
2019058643.tif 000004
【図３】
2019058643.tif 000005
【図４】
2019058643.tif 000006
【図５】
2019058643.tif 000007
【図６】
2019058643.tif 000008
【図７】
2019058643.tif 000009